(57)【要約】      （修正有）【課題】  装置間で干渉することなく、単一の受信機を使用することによって複数の入力装置と通信できる無線通信方法および装置を提供する。【解決手段】  コンピュータ１は単向性マルチチャネルを通じて、複数の入力装置と通信する。異なる入力装置３１〜３３の送信機は、異なる通信チャネルを使用する。受信機２は異なる入力装置３１〜３３により使用される異なる通信チャネルを記憶するメモリ２６を含むので、受信機２は所定のチャネルシーケンスにしたがって信号を受信できる。受信機２は、ユーザが入力装置３１〜３３に割り当てるチャネルを変更したときに、これをきっかけに教育モードに移行される。入力装置３１〜３３は、ＩＤコードにより特徴付けられている切替チャネル情報を、一般チャネルを介して受信機２に送信し、それから、受信機２は当該切替チャネル情報に従って入力装置３１〜３３から信号を受信する。【選択図】            図１
2007049647.tif 000002
【特許請求の範囲】
【請求項１】
それぞれ送信機を含む複数のワイヤレス入力装置３１〜３３と、少なくとも１つのワイヤレス信号を前記送信機から受信するための受信機２を含むコンピュータ１との間のマルチチャネルを利用した単向性の無線通信方法であって、
前記ワイヤレス入力装置に異なる所定の通信チャネルを割り当てる段階と、
ユーザがある前記ワイヤレス入力装置を操作した場合、所定のタイムスロットの間、所定の通信チャネルにより、前記ワイヤレス入力装置が入力信号を複数回反復して送信する段階と、
所定の受信時間周期内に所定のチャネルシーケンスで前記受信機２が入力信号４を受信し、前記所定のチャネルシーケンスで反復して前記入力信号４を受信する段階と、
を含む無線通信方法。
【請求項２】
前記受信機２の前記所定の受信時間周期は、前記所定のタイムスロットと同じ長さである請求項１記載の無線通信方法。
【請求項３】
前記受信機２の前記所定の受信時間周期は、一つのチャネルに対して５９ｍｓより大きくない請求項１記載の無線通信方法。
【請求項４】
前記送信機から送信された前記入力信号４は、前記送信機のためのＩＤコード５が先頭に付され、前記送信機を識別するために使用される請求項１記載の無線通信方法。
【請求項５】
前記ＩＤコード５は、一定値である請求項４記載の無線通信方法。
【請求項６】
前記所定の通信チャネルは、切替可能である請求項４記載の無線通信方法。
【請求項７】
前記受信機が一般チャネルを通じて信号を受信できるように、当該受信機を教育モードに移行する段階と、
前記入力装置が一般チャネルを通じて切替チャネル情報を送信できるように、当該入力装置をペアリングモードに移行する段階と、
前記切替チャネル情報を受信した後に、前記受信機がチャネルシーケンスを更新する段階と、
をさらに含む請求項６記載の無線通信方法。
【請求項８】
前記切替チャネル情報は、入力装置に関連するＩＤコード５が先頭に付けられる請求項７記載の無線通信方法。
【請求項９】
前記一般チャネルは、所定の通信チャネルとは異なる請求項７記載の無線通信方法。
【請求項１０】
コンピュータ１および複数の入力装置３１〜３３間の無線通信システムであって、
それぞれ送信機を有し、該送信機が異なる所定の通信チャネルを介して入力信号を送信する少なくとも２台のワイヤレス入力装置と、
コンピュータ１を動作可能なように接続された受信機２と、
を有し、
前記入力装置は、ユーザが前記入力装置を操作すると、所定の通信チャネルにより所定のタイムスロット内で複数回反復して入力信号４を送信し、
前記受信機は、所定の受信時間周期内に所定のチャネルシーケンスで前記入力信号を受信し、前記所定のチャネルシーケンスで前記入力信号４を反復して受信する無線通信システム。
【請求項１１】
前記送信機および受信機２はＲＦチャネルを使用する請求項１０記載の無線通信システム。
【請求項１２】
前記受信機２の前記所定の受信時間周期は、前記所定のタイムスロットと同じ長さである請求項１０記載の無線通信システム。
【請求項１３】
前記受信機２の前記所定の受信時間周期は、一つのチャネルに対して５９ｍｓより大きくない請求項１０記載の無線通信システム。
【請求項１４】
前記送信機から送信された前記入力信号４は、前記送信機のためのＩＤコード５が先頭に付けられ、前記送信機を識別するために使用される請求項１０記載の無線通信システム。
【請求項１５】
前記ＩＤコード５は、一定値である請求項１４記載の無線通信システム。
【請求項１６】
前記入力装置用に使用するためのチャネルを切り替えるためのチャネル変更スイッチ３４４と、
前記入力装置をペアリングモードにし、前記入力装置が一般チャネルを通じて切替チャネル情報を送信できるようにするペアリングスイッチ３４５と、
前記受信機にさらに備えられ、前記受信機を教育モードにし、該受信機が前記一般チャネルを通じて、切替チャネル情報を受信出来るようにする教育モードスイッチと、
をさらに有する請求項１０記載の無線通信システム。
【請求項１７】
前記一般チャネルは、所定の通信チャネルとは異なる請求項１６記載の無線通信システム。
【発明の詳細な説明】
【技術分野】
【０００１】
本発明は、コンピュータ周辺機器のための無線通信技術に関し、特に、単一の受信機に対する複数の送信機の単向性マルチチャネル通信技術に関する。
【背景技術】
【０００２】
コンピュータは、現代の社会に偏在しており、機械と人をつなぐインタフェースとして、キーボートおよびマウス以外にも、デジタルタブレット、ジョイスティック、ゲームパッド、リモコンおよび３Ｄポインティングデバイスなどがしばしば使われている。それらの入力装置は、接続線を通じてホストコンピュータのＩ／Ｏポートに接続される。しかし、Ｉ／Ｏポートは一般にコンピュータにおける数と資源が限られており、また、複数の接続線は操作環境をちらかしてしまう。
【０００３】
そこで、コンピュータと無線接続されるワイヤレス入力装置がより普及し始めているが、改良の余地はいまだ多く残っている。現在市販されている統合型の複数のワイヤレス入力装置としては、ワイヤレスマウスとワイヤレスキーボードとが一つの受信機を共有できるものがある。例えば、特許文献１には、送信機および受信機間の単一方向の通信を伴う無線インタフェースが開示されている。複数の送信機と単一の受信機との間の通信は、簡単なＩＤコードを用いることにより達成される。しかし、アクセスできる送信機の数は、依然制限されている。上記米国特許明細書の第２コラム第５１行目から第５２行目に記載されているように、一つの受信機を共有できるのはたった２台の送信機だけである。
【０００４】
さらに、上記米国特許明細書の第９コラム第２６行目に記載されているように、無線インタフェースは外部の干渉を引き起こし、この外部の干渉はチャネルスイッチングでは解決できない。
【０００５】
より多くの入力装置を必要とするアプリケーションのために、複雑な技術が必要である。特許文献２には、１台の受信機を複数の入力装置により共有するための通信方法が開示されている。この方法では、２通りの通信および複雑なＩＤコードが用いられる。しかし、この方法では、コストが高く、複数のワイヤレス装置がコンピュータの同一の通信チャネルを共有する場合、通信間に干渉が起こってしまう。この干渉は、より多くのワイヤレス装置が通信システムに関与するときに、より深刻な問題になる。
【特許文献１】米国特許第５，８５４，６２１号明細書
【特許文献２】米国特許第５，８８１，３６６号明細書
【発明の開示】
【発明が解決しようとする課題】
【０００６】
しかし、この問題は、上述の２つの従来技術によっては解決できない。上述の２つの従来技術において提案されているチャネルの選択は、アナログのコードレス電話と同様な手法であり、同じ通信チャネルを用いるオフシステム（ｏｆｆ−ｓｙｓｔｅｍ）装置の干渉を解決することを目的としている。この方法は、同一の通信チャネルを用いるイントラシステム（ｉｎｔｒａ−ｓｙｓｔｅｍ）装置の干渉を解決できない。
【０００７】
さらに、オフィス、インターネットカフェおよび図書館などの多くの場所で、コンピュータは狭い間隔、たとえば１メートル以内に配置されている。無線周波数（ＲＦ）通信において、他との干渉を防止するのに効率的な距離は、１．５メートル以上である。したがって、近年のように、複数のシステムが近隣に配置される場合、１台のコンピュータは、近接した他のコンピュータの無線送信機から送信される無線信号を受信する危険がある。したがって、イントラシステム装置およびオフシステム装置の干渉は、同時に対処されなくてはならない。これは、現在のコンピュータのワイヤレス入力装置によっては未だ解決されていない。
【０００８】
本発明は、上記事情に鑑みてなされたものであり、装置間で干渉することなく、単一の受信機を使用することによって複数の入力装置と通信できる無線通信方法および装置を提供することを目的とする。
【課題を解決するための手段】
【０００９】
本発明の無線通信方法は、それぞれ送信機を含む複数のワイヤレス入力装置３１〜３３と、少なくとも１つのワイヤレス信号を前記送信機から受信するための受信機２を含むコンピュータ１との間のマルチチャネルを利用した単向性の無線通信方法であって、前記ワイヤレス入力装置に異なる所定の通信チャネルを割り当てる段階と、ユーザがある前記ワイヤレス入力装置を操作した場合、所定のタイムスロットの間、所定の通信チャネルにより、前記ワイヤレス入力装置が入力信号を複数回反復して送信する段階と、所定の受信時間周期内に所定のチャネルシーケンスで前記受信機２が入力信号４を受信し、前記所定のチャネルシーケンスで反復して前記入力信号４を受信する段階と、を含む。
【００１０】
本発明の無線通信システムは、コンピュータ１および複数の入力装置３１〜３３間の無線通信システムであって、それぞれ送信機を有し、該送信機が異なる所定の通信チャネルを介して入力信号を送信する少なくとも２台のワイヤレス入力装置と、コンピュータ１を動作可能なように接続された受信機２と、を有し、前記入力装置は、ユーザが前記入力装置を操作すると、所定の通信チャネルにより所定のタイムスロット内で複数回反復して入力信号４を送信し、前記受信機は、所定の受信時間周期内に所定のチャネルシーケンスで前記入力信号を受信し、前記所定のチャネルシーケンスで前記入力信号４を反復して受信する。
【発明の効果】
【００１１】
本発明の無線通信方法によれば、ワイヤレス入力装置ごとに異なる通信チャネルが割り当てられ、ワイヤレス入力装置のそれぞれが異なる通信チャネルによりコンピュータと通信するので、入力装置間の干渉を防止できる。
【００１２】
本発明の無線通信システムによれば、複数の入力装置がそれぞれ異なる所定の通信チャネルを介して、コンピュータに入力信号を送信するので、入力装置間の干渉を防止できる。
【発明を実施するための最良の形態】
【００１３】
入力装置は、異なるチャネルを通じてコンピュータの受信機に入力信号を送信する。受信機は、特定の入力装置によって使用されているチャネルを識別でき、教育モードの後、ユーザが入力装置用のチャネルを変更したときにチャネル情報を更新できる。なお、コンピュータとは、たとえば、パソコン、ワークステーション、パーソナル携帯情報機器およびゲーム機などのいずれかである。また、入力装置は、たとえば、マウス、キーボード、デジタルタブレット、ジョイスティック、ゲームパッドおよびタッチパッドのいずれかである。コンピュータは、それぞれ異なるタイプの入力装置、あるいは同一タイプに属する入力装置と通信でき、たとえば、２つのマウスおよび／または３つのキーボートと通信できる。
【００１４】
本発明は、コンピュータと複数の入力装置間の単方向通信を提供する低出力無線通信方法を提供する。各入力装置は、送信機と、受信機を有するコンピュータとを含む。入力装置は、それぞれ異なるチャネルに割り当てられ、一つの入力装置から送信される入力信号には、当該入力装置を特徴づけるＩＤコードが先頭に付されている。受信機は、割り当てられたチャネルおよびＩＤコードを格納するメモリを有し、これによって、受信機は、所定のチャネルシーケンス中に入力装置からの信号を受信できる。ユーザは、ある入力装置用に使用されているチャネルが変更されたときに、受信機を教育モードにできる。入力装置は、ＩＤコードによって特徴付けられた切替チャネル情報を、一般のチャネルを通じて受信機に送信し、受信機は、当該切替チャネル情報に基づいて入力装置から信号を受信する。
【００１５】
本発明の一態様では、本発明は、コンピュータに取り付けられた単一の受信機を用いた、コンピュータおよび複数の入力装置間の無線通信方法およびシステムを提供する。
【００１６】
本発明の他の態様では、本発明は、同時に多数のチャネルを用いる無線通信方法およびシステムを提供する。
【００１７】
本発明のさらに別の態様では、本発明は、ＲＦ信号を用いる単向性の無線通信方法およびシステムを提供する。
【００１８】
新規な本発明の特徴は、添付の特許請求の範囲において特に示される。しかし、本発明自身は、以下の発明の詳細な説明、添付の図面の共に参照することによって、最も理解される。発明の詳細な説明には、本発明の特定の典型的な実施形態が説明されている。
【００１９】
以下、図面を参照して、本発明の実施の形態を説明する。
【００２０】
図１は、本発明の適用を示す図である。コンピュータ１は単向性のマルチチャネルを通じて、複数の入力装置３１〜３３と通信する。複数のワイヤレス入力装置３１〜３３は、無線媒体を通じて、コンピュータ１に接続されている。各ワイヤレス入力装置３１〜３３は、無線のＲＦ送信機を含み、コンピュータ１は、該ワイヤレス入力装置３１〜３３と対応する受信機２を含む。ワイヤレス入力装置３１〜３３は、いかなるコンピュータ入力装置およびそれらの組合せであってもよい。図１に示すように、マウス３１、キーボード３２およびリモコン３３がコンピュータ１に接続されている。すなわち、３種類の３つの入力装置がコンピュータ１に接続されている。
【００２１】
ワイヤレス入力装置３１〜３３の送信機は、受信機２に入力信号を送信し、入力信号は、ＦＳＫ（Ｆｒｅｑｕｅｎｃｙ  Ｓｈｉｆｔ  Ｋｅｙｉｎｇ）方式に変調される。搬送周波数が２．４ＧＨｚであり、周波数分離間隔が５ＭＨｚである場合、何十または何百の通信チャネルが定義される。図２は、本発明の好ましい実施形態によるチャネル割当てマップを示す図であり、このテーブルでは３２本（３２種類の周波数）の通信チャネルが割り当てられており、設計上の選択しだいで実際のテーブルの数を設定できる。
【００２２】
本発明の好ましい実施例によれば、入力装置３１〜３３は、それぞれ所定のチャネルに割り当てられる。例えば、マウス３１は第１の通信チャネルを使用し、キーボード３２は第２の通信チャネルを使用し、リモコン３３は第３の通信チャネルを使用する。なお、上記割当ては変更可能である点に留意する。受信機２は、各入力装置３１〜３３用の初期設定の所定のチャネル、および、入力装置３１〜３３の詳細な情報を保存するメモリを有する。入力装置３１〜３３の詳細な情報については、後述する。したがって、受信機２は、入力装置３１〜３３のための初期設定の所定のチャネルを通じて、該入力装置３１〜３３からデータを受信できる。
【００２３】
入力装置３１〜３３のうちの１つが操作されるとき、そこから生成される入力信号は、所定のタイムスロット中に含まれる多数のサイクル周期の反復的な信号からなる。すなわち、入力装置３１〜３３は、ユーザの操作に従って、所定のタイムスロットの間、入力信号を複数回反復して送信する。
【００２４】
受信機２は、チャネルジャンピング（ｃｈａｎｎｅｌ  ｊｕｍｐｉｎｇ）を伴う入力装置３１〜３３から信号を受信する。例えば、受信機２は、第１チャネル、第２チャネルおよび第３チャネルのチャネルシーケンスを有する入力装置３１〜３３から周期的に信号を受信する。入力信号は、好ましくは、入力装置（３１〜３３）からの全ての入力信号があいまいさや損失なく受信機２に受信されることを確実にするために、所定の受信時間周期を有する。すなわち、所定の受信時間周期内に反復して、入力信号を受信する。発明者の実験によれば、単一の入力装置（３１〜３３）のための入力信号が毎秒１７回受信される場合、遅延や中断することなく、入力装置３１〜３３は作動可能であった。
【００２５】
したがって、たった一つの入力装置（３１〜３３）とたった一つのチャネルがある場合、所定の受信時間周期は５９ｍｓ未満（１ｓ÷１７回＝５９ｍｓ／回）である。また、３つの入力装置（３１〜３３）とそれに応じた３つのチャネルがある場合には、所定の受信時間周期は、１９．６７ｍｓ（５９÷３＝１９．６７）未満である。したがって、合計時間周期は、５９ｍｓ未満である。さらに、４つの入力装置を含むシステムでは、各入力装置の受信時間周期は、あいまいさや損失を防止するために、１４．７５ｍｓ（５９÷４＝１４．７５）未満に設定される。
【００２６】
さらに、本発明は、同じシステム内の他の装置と入力装置（３１〜３３）が内部チャネル干渉するのを防止するために、チャネル変更メカニズムも提供する。そのチャネル変更メカニズムは、好ましくは、所定のチャネルシーケンスにより実行される。各入力装置３１〜３３は、図２に示すチャネル割当てマップ中のチャネルを選択する。図３は、各入力装置３１〜３３のための所定のチャネルシーケンスを示す図である。選択されたチャネルは、所定のチャネルシーケンスに配列され、入力装置３１〜３３用に共有されるチャネルはない。
【００２７】
図３に示すように、マウス３１は、該マウス３１に設けられたチャネル変更スイッチを押すことによって、まず、第１チャネル、それから、第４チャネル、第７チャネルを順にそれぞれ使用する。チャネル変更スイッチについては、後述する。さらに、キーボート３２は、該キーボード３２に設けられたチャネル変更スイッチを押すことによって、まず、第２チャネル、それから、第５チャネル、第８チャネルを順にそれぞれ使用する。所定のチャネルシーケンスは、入力装置３１〜３３用のチャネルが共有されなければ変更可能である。この代わりに、チャネルシーケンスは、入力装置３１〜３３にランダムに割り当てられてもよい。これにより、入力装置３１〜３３が同じチャネルを使用する可能性がほとんどない。チャネルの共有が一度起こると、チャネル変更スイッチが一度または二度さらに押されることによって、問題が解決される。
【００２８】
本発明において、送信機および受信機の組合せは、単向性通信（一方向通信）である。すなわち、入力装置３１〜３３は受信機２に信号を送信できるが、受信機２は入力装置３１〜３３に信号を返信できない。したがって、入力装置３１〜３３のチャネルが変更または更新されたときに、入力装置３１〜３３から送信される信号がわかるように、本実施形態のメカニズムは受信機２側に提供される。
【００２９】
より詳細なメカニズムについて説明する。受信機２には教育モード（ｔｒａｉｎｉｎｇ  ｍｏｄｅ）を実行させるために、教育モードスイッチが設けられ。さらに、入力装置３１〜３３には、入力装置３１〜３３にペアリングモードを実行させるために、ペアリングスイッチ（ｐａｉｒｉｎｇ  ｓｗｉｔｃｈ）が設けられる。入力装置３１〜３３の一つのチャネルが切り替えられたとき、受信機は、もはや、入力装置３１〜３３を認識できなくなる。このとき、ユーザは、教育モードスイッチを押し、受信機２に教育モードを実行させる。好ましくは、受信機２が教育モードであることを示すためにランプが用いられる。
【００３０】
教育モードになると、受信機２は、初期設定の一般チャネルを通じて、信号を受信する。その後、ユーザは、切り替えられたチャネルを示す切替チャネル情報を、入力装置３１〜３３から受信機に送信するために、入力装置３１〜３３のペアリングスイッチを押す。受信機２は、切替チャネル情報を、自身が有するメモリに記憶し、切替チャネル情報に従って信号を受信する。図１によると、受信機２は、最初に、第１チャネル、第２チャネルおよび第３チャネルを介して入力装置３１〜３３の信号を受信する。切替チャネル情報によって教育（ｔｒａｉｎ）された後は、受信機２は、入力装置３１〜３３の信号を第４チャネル、第２チャネルおよび第３チャネルを通じて受信する。
【００３１】
初期設定の一般チャネルは、切替チャネル情報を送信するために使用され、図２に示すようなデータ信号を送信するためのチャネルではない。さらに、入力装置３１〜３３は同じ初期設定の一般チャネルを使用するので、受信機は教育モードにおいて入力装置３１〜３３の切替チャネル情報を学習できる。
【００３２】
図４は入力装置３１〜３３から送信される信号のフォーマットを示す図である。入力装置３１〜３３から送信される入力信号４および切替チャネル情報は、入力装置と関連付けられたＩＤコードが先頭に付けられる。教育モードでは、受信機は、切替チャネル情報を更新するために、ＩＤコード５から入力装置３１〜３３を識別できる。
【００３３】
図５は、本発明の好適な実施形態による方法のフローチャートである。受信機２は、まず、初期設定のチャネルシーケンスにより入力装置３１〜３３から入力信号を受信する（ステップＳ１）。受信機２は、入力装置３１〜３３からの全ての入力信号の受信が成功した場合、初期設定のチャネルシーケンスに従って信号を受信する。
【００３４】
入力装置３１〜３３から信号を受信する際に、入力装置３１〜３３のチャネルの変更によって受信機２に問題が発生したか否かが判断される（ステップＳ２）。すなわち、ユーザが入力装置のチャネル切替スイッチを押して、入力装置用のチャネルが変更され、受信機２が信号を受信できなくなるなどの問題が発生したか否かが判断される。問題が発生していない場合（ステップＳ２：ＮＯ）、ステップＳ１の処理に戻り、信号の受信が継続される。
【００３５】
問題が発生した場合（ステップＳ２：ＹＥＳ）、ユーザは、教育モードスイッチを押し、受信機２を教育モードにする（ステップＳ３）。ここで、受信機２は、教育モードスイッチが押下されたかどうかを常に検出しており、教育モードスイッチの押下があると、教育モードに移行する。
【００３６】
そして、ユーザは、問題がある入力装置３１〜３３に設けられたペアリングスイッチを押して、切替チャネル情報を送信する（ステップＳ４）。ここで、入力装置３１〜３３は、ペアリングスイッチが押下されたかどうかを常に検出しており、ペアリングスイッチの押下があると、ペアリングモードに移行し、切替チャネル情報を送信する。
【００３７】
受信機２は、その切替チャネル情報を更新するために新たな切替チャネル情報を受信する（ステップＳ５）。その後、受信機２は、教育モードを終了し、更新された切替チャネル情報に従って入力装置３１〜３３からの信号の受信を開始する（ステップＳ６）。
【００３８】
上述の方法は、図６および図７に示す回路ブロックによって実行される。
【００３９】
図６は、入力装置３１〜３３の典型的な構成を示すブロック図である。ここで、第１プロセッサ３４３は、他の構成を制御するための制御装置として使用される。入力装置は、さらに、指示入力のためのキースイッチ３４２と、ユーザの操作（マウスやデジタルパッドでの操作）を検出するためのセンサ３４１とを有する。
【００４０】
第１プロセッサ３４２は、キースイッチ３４２およびセンサ３４１から指示信号を受信し、その指示信号をコンピュータが読み取り可能な入力信号に変換する。入力装置は、アクセス可能なチャネルおよび入力装置３１〜３３の自身のＩＤコードを記憶する第１不揮発性メモリ３４６をさらに有し、第１プロセッサ３４３は、第１不揮発性メモリ３４６に記憶されたデータに従って、入力信号をエンコードする。
【００４１】
第１プロセッサ３４３は、さらに、入力信号４を変調するために周波数合成ユニット３４７を制御し、それから、変調された入力信号は第１ＲＦ増幅器３４８および送信アンテナ３４９を通じて送信される。チャネル変更スイッチ３４４およびペアリングスイッチ３４５は、ユーザがチャネル切替モードおよびペアリングモードを実行するために、第１プロセッサ３４３に電気的に接続されている。入力装置は、切替チャネル情報を送信でき、該切替チャネル情報は、チャネル切替ボタン３４４の押下にしたがって、第１不揮発性メモリ３４６に記憶される。
【００４２】
図７は、受信機２の典型的なブロック図である。ここで、受信機２は、第２プロセッサ２４を制御装置として有する。
【００４３】
受信機２は、アクセス可能なチャネルおよび入力装置３１〜３３のＩＤコードを記憶するために、さらに第２不揮発性メモリ２６を有する。通常の操作、すなわち、教育モード以外の操作では、第２プロセッサ２４は、周波数飛び（ｆｒｅｑｕｅｎｃｙ−ｊｕｍｐｉｎｇ）の許容および復調のために、第２周波数合成ユニット２３を制御する。したがって、受信アンテナ２１およびＲＦ増幅器２２を通じて受信された信号は、正確に受信される。受信された信号は、ＩＤコードによってその装置を特定するため、および、必要な信号処理を実行するために、第２プロセッサ２４によって処理される。
【００４４】
その後、処理された信号は、コンピュータ１のＩ／Ｏインタフェースと互換性があるＩ／Ｏインタフェース２５を介してコンピュータ１に送信される。受信機２は、さらに、第２プロセッサ２４に電気的に接続され、受信機２をトレーニング状態にするための教育モードスイッチ２７を含む。第２プロセッサ２４は、教育モードにおいて一般チャネルを介して切替チャネル情報を受信するために、第２周波数合成ユニット２３を有する。
【００４５】
以上のように、無線通信方法によれば、ワイヤレス入力装置３１〜３３ごとに異なる通信チャネルが割り当てられ、ワイヤレス入力装置３１〜３３のそれぞれが異なる通信チャネルによりコンピュータ１と通信するので、入力装置３１〜３３間の干渉を防止できる。
【００４６】
特に、ワイヤレス入力装置３１〜３３は、通信チャネルシーケンスに従って循環的に変更できる複数のチャネルが割り当てられている。したがって、チャネル変更スイッチ３４４の押下により、通信チャネルシーケンスに従って順に通信チャネルを切り替えられる。したがって、入力装置３１〜３３が、他のシステムの入力装置と干渉するようなことがあっても、チャネル変更スイッチ３４４の押下により、干渉を即座に解消できる。
【００４７】
本発明は上記好適な実施形態を参照して説明されてきたが、本発明は、上記実施形態に限定されるものではない。当業者によって、上記実施形態から様々な置換および改変が可能である。したがって、全ての置換および改変は、特許請求の範囲に定義される本発明の技術的思想の範囲内に含まれる。
【図面の簡単な説明】
【００４８】
【図１】コンピュータと複数のワイヤレス入力装置との接続を示す図である。
【図２】典型的なチャネル割当てを示す図である。
【図３】異なる入力装置用のチャネルの切替順（チャネルシーケンス）を示す図である。
【図４】入力信号のパケットフォーマットを示す図である。
【図５】無線通信方法の手順を示すフローチャートである。
【図６】入力装置を示すブロック図である。
【図７】受信機を示すブロック図である。
【符号の説明】
【００４９】
１…コンピュータ、
２…受信機、
２１…受信アンテナ、
２２…第２ＲＦ増幅器、
２３…第２周波数合成ユニット、
２４…第２プロセッサ、
２５…Ｉ／Ｏインタフェース、
２６…第２不揮発性メモリ、
２７…教育モードスイッチ、
３１…マウス、
３２…キーボード、
３３…リモコン、
３４１…センサ、
３４２…キースイッチ、
３４３…第１プロセッサ、
３４４…チャネル変更スイッチ、
３４５…ペアリングスイッチ、
３４６…第１不揮発性メモリ、
３４７…第１周波数合成ユニット、
３４８…第１ＲＦ増幅器、
３４９…送信アンテナ。
【図１】
2007049647.tif 000003
【図２】
2007049647.tif 000004
【図３】
2007049647.tif 000005
【図４】
2007049647.tif 000006
【図５】
2007049647.tif 000007
【図６】
2007049647.tif 000008
【図７】
2007049647.tif 000009